(57)【要約】【課題】  簡単な構成で防振機能と放熱機能を達成する電子機器を提供する。【解決手段】  外側の筐体１５，１６と、電子機器本体部１，２，３，４と、該筐体と該電子機器本体部の間に位置し該電子機器本体部を保持する保持部５，６とを備えた電子機器において、前記保持部は、前記電子機器本体部を高熱伝導性を有する弾性部材９ａ，９ｂにて保持する構成とした。さらに前記弾性部材は、前記電子機器本体部上の複数箇所に設置され、各設置箇所において一体型構造の弾性材で構成した。【選択図】図２
2005150775.tif 000002
【特許請求の範囲】
【請求項１】
外側の筐体と、電子機器本体部と、該筐体と該電子機器本体部の間に位置し該電子機器本体部を保持する保持部とを備えた電子機器において、
上記保持部は、上記電子機器本体部を高熱伝導性を有する弾性部材にて保持することを特徴とする電子機器。
【請求項２】
請求項１記載の電子機器において、
前記弾性部材は、前記電子機器本体部上の複数箇所に設置され、各設置箇所において一体型構造の弾性材で構成したことを特徴とする電子機器。
【請求項３】
請求項２記載の電子機器において、
前記各弾性部材は、前記電子機器本体部の長手方向に垂直で、該電子機器本体部の重心を通る直線上に設置されたことを特徴とする電子機器。
【請求項４】
請求項２記載の電子機器において、
前記各弾性部材は、前記電子機器本体部の長手方向に平行で、前記電子機器本体部の重心を通る面上に設置されたことを特徴とする電子機器。
【請求項５】
請求項１ないし４のいずれか１項記載の電子機器において、
前記電子機器本体部は、外部の被写体を映像に変換する撮像手段を含むことを特徴とする電子機器。
【請求項６】
請求項５記載の電子機器において、
発熱する部品を搭載した回路基板を備え、該回路基板は前記外側の筐体の側面と略平行に配置されることを特徴とする電子機器。
【請求項７】
請求項１ないし６のいずれか１項記載の電子機器において、
前記弾性部材は、固有振動数が２０Ｈｚから３００Ｈｚのゴム材であることを特徴とする電子機器。
【請求項８】
請求項１ないし６のいずれか１項記載の電子機器において、
前記弾性部材は、熱伝導率が０．４Ｗ／ｍ・Ｋ以上のゴム材であることを特徴とする電子機器。
【発明の詳細な説明】
【技術分野】
【０００１】
本発明は、撮像装置などの電子機器に関し、特に防振機能と放熱機能を有する電子機器に関する。
【背景技術】
【０００２】
近年、電子機器は小型軽量化されており、特にビデオカメラなどの撮像装置の小型化はめざましい。しかし機器が小型化すると、カメラを手に持って撮影する時は手振れが発生しやすく、またカメラを固定器具で天井などに固定した時は、エアコンなどの振動がカメラに伝達して、撮影映像の振動が目立つようになることがある。一般に電子機器が小型軽量化されると外部の振動を受け易くなり、撮像装置には一層の防振対策が求められる。
【０００３】
民生用ビデオカメラでは一般に手振れ補正機能を用いて外部からの振動を抑制しているが、これはあくまで手振れに対する補正であり、振動を抑制できる範囲は約２０Ｈｚ以下である。一方、ビデオカメラを車載用あるいは天井固定用として使用すると、手振れ補正機能では補正できないエアコンなどの高い周波数の振動（約３０〜３００Ｈｚ）を受ける。特許文献１に開示される技術では、手振れ補正機能の他にさらに防振ゴムにて撮像装置本体を支持し、手振れ補正機能では補正しきれない高い周波数の振動を吸収している。また特許文献２には、弾性体で構成した振動吸収装置の具体的な形状が提案されている。
【０００４】
【特許文献１】特開平１１−２３７６５４号公報
【０００５】
【特許文献２】特開２００１−２２３４８５号公報
【発明の開示】
【発明が解決しようとする課題】
【０００６】
上記特許文献１の技術では、防振ゴムの適切な設置位置には触れておらず、防振ゴムの設置位置が適切でないと防振対象部に対して重心バランスが悪くて十分な防振効果が得られないだけでなく加振する恐れがある。
【０００７】
また、特許文献２の技術では、電子機器本体を安定に支持するため、本体の重心を通る仮想直線上に振動吸収装置を配置している。しかしながら、この振動吸収装置は一対の弾性体を嵌合させる構成なので、組立てが困難である。
【０００８】
さらにいずれの特許文献にも、機器内部で発生する熱を外部に放熱する機能については何ら開示がない。
【０００９】
本発明の目的は、簡単な構成で防振機能と放熱機能を達成する電子機器を提供することにある。
【課題を解決するための手段】
【００１０】
外側の筐体と、電子機器本体部と、該筐体と該電子機器本体部の間に位置し該電子機器本体部を保持する保持部とを備えた電子機器において、前記保持部は、前記電子機器本体部を高熱伝導性を有する弾性部材にて保持する構成とした。さらに前記弾性部材は、前記電子機器本体部上の複数箇所に設置され、各設置箇所において一体型構造の弾性材で構成した。
【発明の効果】
【００１１】
本発明の効果として、防振機能と放熱機能を簡単な構成で実現する電子機器を提供することができる。
【発明を実施するための最良の形態】
【００１２】
以下、本発明の実施形態を撮像装置を例に、図面を用いて説明するが、本発明はこれに限らず、任意の電子機器に適用できることは言うまでもない。
【実施例１】
【００１３】
図１は、本発明による撮像装置の一実施例を示す装置全体の分解図である。
レンズ１はレンズユニット２に取付けて固定されている。レンズシャーシ３とレンズシャーシ４はネジ等によりレンズユニット２に固定されている。レンズシャーシ３，４を取付けたレンズユニット２を、以下レンズブロックと呼ぶ。カメラシャーシ５の前面には、リング状ゴム８を間に付けリングシャーシ７がネジ等により固定されている。カメラシャーシ５は、防振ゴム９ａを間に入れてネジ１０ａによりレンズシャーシ３と組み立てられ、レンズブロックを保持している。更にもうひとつのカメラシャーシ６は、防振ゴム９ｂを間に入れてネジ１０ｂによりレンズシャーシ４と組み立てられ、レンズブロックを保持している。ＣＣＤ等の撮像素子１１を実装した回路基板１２は、レンズブロックに固定されている。回路基板１３と回路基板１４には、撮像素子１１等を駆動する図示しない電子回路等が実装されている。回路基板１３，１４はカメラシャーシ６に取付けられている。外ケース１５と外ケース１６は、図示しないネジ等によりカメラシャーシ５に組み立てられている。回路基板１２はケーブル１７により他の回路基板に電気的に接続されている。
【００１４】
外部の振動がレンズブロックに伝わると、撮像部から出力される画像が揺れて見難くなる。特に撮像部がズームアップした映像を出力している場合は、外部の振動による画像の揺れが著しい。本実施例では防振ゴム９ａ，９ｂを設けることで、外部の振動が内部のレンズブロックに伝わることを防止するものである。
【００１５】
図２は、図１の撮像装置の要部側面の断面図であり、カメラシャーシ５，６とレンズシャーシ３，４の間に防振ゴム９ａ，９ｂを取付けた状態を示す。なお、便宜上防振ゴム９ａ，９ｂと、該防振ゴムの取付けネジ１０ａ，１０ｂは断面で示している。
【００１６】
Ａ点はレンズブロックの重心を示し、鎖線Ｂは重心Ａを通りレンズブロックの長手方向に垂直な直線であり、鎖線Ｃは重心Ａを通りレンズブロックの長手方向に平行な直線である。撮像時の通常の姿勢は、鎖線Ｂは地面に垂直、鎖線Ｃは地面に平行となる。
【００１７】
外部から伝わってくる振動は、図示しない外装から外側のケース１４，１５に伝わり、更にカメラシャーシ５，６へと伝わる。カメラシャーシ５，６とレンズシャーシ３，４は防振ゴム９ａ，９ｂを間に挟み、ネジ１０ａ，１０ｂにて取付けられている。よって、カメラシャーシ５からの振動は、防振ゴム９ａによりレンズシャーシ３へ伝わることを抑制される。同様に、カメラシャーシ６からの振動は、防振ゴム９ｂによりレンズシャーシ４へ伝わることを抑制される。撮像素子を含むレンズブロックはレンズシャーシ３，４により保持されているので、外部から来る振動がレンズブロックに伝わることを防止できる。
【００１８】
さらに防振ゴム９ａ，９ｂは、レンズブロックの重心Ａを通る直線Ｂがレンズシャーシ３，４およびカメラシャーシ５，６に交わる位置に設置されているので、特に地面に垂直方向の防振の効果を高めることができる。
【００１９】
一方、２つの防振ゴムを、レンズブロックの重心Ａを通り紙面に垂直な直線（図示せず）がレンズシャーシとカメラシャーシに交わる位置に設置しても良い。この場合は、特に水平方向の防振の効果を高めることができる。
【００２０】
以上のようにすることで、レンズブロックとカメラシャーシ５，６の結合は柔軟性を有する状態となり、外部から伝達される振動は、防振ゴムによりレンズブロックへの振動が抑制される。防振ゴムの材質としては制振性の高いＩＩＲ（ブチルゴム）が好適である。その他、汎用合成ゴムのＳＢＲ（スチレンブタジエンゴム）を使用してもよい。さらにゴム材の代わりに一般の弾性材も利用できる。
【実施例２】
【００２１】
図３は、防振ゴムを他の位置に設置した場合のカメラブロック（レンズブロックにカメラシャーシ５，６を取付けたもの）の上面図を示す。すなわち、図２における防振ゴム９ａに替えて、２個の防振ゴム９ａ，９ｂをレンズブロックの長手方向に分散して設置したものである。鎖線Ｄは、レンズブロックの重心を含み紙面に垂直でレンズブロックの長手方向と平行な面が、カメラシャーシ５の上側の面と交わる線である。鎖線Ｄ上の、重心を貫く紙面に垂直な線が交差する点を挟んだ２箇所に防振ゴム９ａ，９ｃを設置したものである。このような位置に防振ゴムを設置することにより、防振ゴムが等荷重負荷となってバランスが取れ、効率よく外部からの振動を抑制できる。
【００２２】
図３の実施例では防振ゴムの設置を上側を２箇所、下側を１箇所としたが、逆に上側を１箇所、下側を２箇所としても良い。さらに使用するレンズブロックが大きい場合や重い場合は、防振ゴムの設置数を上記線Ｄ上に増加させても良い。
【００２３】
また、防振の効果を高めるために、撮像素子が実装される回路基板１０と他の回路基板を電気的に接続するケーブル１６は振動を伝えにくいフレキシブルケーブル等を使用することが望ましい。
【実施例３】
【００２４】
撮像装置の小型化と処理スピードの向上に伴い、ＬＳＩ等からの発熱をいかに抑えるかが課題となっている。これに対して本実施例では、シャーシに取付けた防振ゴムに熱伝導性のあるものにして放熱を行なう。ゴム材料として、制振性の高いゴムに熱伝導性（０．５Ｗ／ｍ・Ｋ程度）を付与したゴム材を用いた。熱源となるＬＳＩが載った回路基板は垂直に立てることで、基板の両面の熱が効率よく上昇させることができるが、構造上の制限で垂直できない場合や、更なる放熱を期待するときは、熱伝導性の優れたゴムを利用した防振ゴムを放熱に兼用して、これを解決することができる。つまり、ＬＳＩに密着させて、熱をゴムからカメラシャーシ５，６へ伝導して、さらに外ケース１５、１６へ、そして最後に外へ熱を放射する。
【００２５】
また防振と放熱に兼用したゴムにフェライト材を混入させたものを使用してＬＳＩからの不要輻射の抑制をすることも可能である。その場合、カメラシャーシ５，６をネジ等により回路基板１３，１４のグランドパターンと接続させることでグランドのシールド効果が増して更なる輻射改善が期待できる。
【００２６】
また、上記防振ゴムの代わりに、弾性材を用いることもできる。特に金属材を利用すれば、熱伝導性に優れ、より大きな放熱効果をもたらす。
【００２７】
この実施例３の構成は、上記実施例１または実施例２に適用して、さらに効果を上げることができる。
【実施例４】
【００２８】
図４は、防振ゴムの具体実施例を示すもので、図４（Ａ）は上面図、（Ｂ）は断面図を示す。防振ゴム９の断面形状は一体型Ｈ形状とし、中空部９ｄと、凹部９ｅを設けた。中空部９ｄはネジ１０ａ，１０ｂの挿入部分で、凹部９ｅはカメラシャーシ５，６の嵌合部分である。Ｈ形状にすることで、カメラシャーシ５，６とレンズシャーシ３，４に防振ゴムを密着させることができ、上下左右の振動を抑制することができる。その際、従来２部品必要であったゴム材が１個で済み、安価で組立てが容易になる。また、防振と同時にカメラシャーシ５，６に熱を伝導して、カメラシャーシ５，６から外ケースへ放熱することができる。
【００２９】
さらに防振ゴム９を、レンズシャーシ３，４に丸穴を設け、そこに挟み込む構造にすると、取り付けネジがなくても防振ゴムがずれたり、外れることはなく、機器の分解を極力少なくして、設置環境に合った最適ゴムに交換も可能となる。
【００３０】
防振ゴムによる振動の伝達の抑制に有効な振動の周波数は一般的には２０Ｈｚ以上からであるため、それ以下の低周波振動に対しては、電子式、あるいは光学式の手触れ補正機能を使うと防振効果は適応範囲を拡大できる。
【００３１】
上記実施例４の構成は、実施例１、２、３に適用し、さらに効果を上げることができる。
【産業上の利用可能性】
【００３２】
本発明は、撮像装置だけでなく、防振機能と放熱機能を必要とするその他の電子機器においても同様に適用できる。
【図面の簡単な説明】
【００３３】
【図１】本発明による撮像装置の第１の実施例（装置全体の分解図）を示す図。
【図２】図１の撮像装置の要部側面の断面図。
【図３】防振ゴムを他の位置に設置した第２の実施例を示す図。
【図４】防振ゴムの第４の実施例を示す図。
【符号の説明】
【００３４】
１…レンズ、２…レンズユニット、３，４…レンズシャーシ、５，６…カメラシャーシ、７…リングシャーシ、８…リング状ゴム、９ａ，９ｂ，９ｃ…防振ゴム、１０ａ，１０ｂ，１０ｃ…ネジ、１１…撮像素子、１２，１３，１４…回路基板、１５，１６…外ケース、１７…ケーブル
【図１】
2005150775.tif 000003
【図２】
2005150775.tif 000004
【図３】
2005150775.tif 000005
【図４】
2005150775.tif 000006